(57)【要約】【課題】少人数でも敷設可能なケーブル敷設工法を提案する。【解決手段】支持線１に吊設された螺旋状ケーブル支持具２の支持空間に、先端に誘導部材２０が取り付けられた押送線１５を一方の電柱Ｄ１側から送り出して他方の電柱Ｄ２側に挿通させ、挿通された押送線を利用して電柱間にケーブルを張り渡すケーブル敷設工法において、押送線１５が巻き取られたリール１０を一方の電柱Ｄ１の上部に取り付け、リール１０から押送線を引き出しながら螺旋状ケーブル支持具２の支持空間内に送り出すことで、一方の電柱Ｄ１の上部だけで押送線１５を他方の電柱Ｄ２側に挿通させる。【選択図】　図１
2004048826.tif 000002
【特許請求の範囲】
【請求項１】
電柱間に張り渡された支持線に螺旋状ケーブル支持具を吊設して前記電柱間に螺旋状の支持空間を形成させ、先端に誘導部材が取り付けられた押送線を一方の電柱側から前記支持空間内に送り出して他方の電柱側に挿通させ、前記挿通された押送線を利用して前記電柱間にケーブルを張り渡すケーブル敷設工法において、
前記押送線が巻き取られたリールを前記一方の電柱の上部に取り付けて、
前記リールから前記押送線を引き出しながら当該引き出された押送線を前記支持空間内に送り出すことにより、
前記一方の電柱の上部だけで前記押送線を前記他方の電柱側に挿通させることを特徴とするケーブル敷設工法。
【請求項２】
電柱間に張り渡された支持線に螺旋状ケーブル支持具を吊設して前記電柱間に螺旋状の支持空間を形成させ、先端に誘導部材が取り付けられた押送線を一方の電柱側から前記支持空間内に送り出して他方の電柱側に挿通させ、前記挿通された押送線を利用して前記電柱間にケーブルを張り渡すケーブル敷設工法において、
作業者が搭乗する作業台を昇降移動させる高所作業装置における前記作業台に前記押送線が巻き取られたリールを配設するとともに、前記作業台を前記一方の電柱の上部に位置させて、
前記リールから前記押送線を引き出しながら当該引き出された押送線を前記支持空間内に送り出すことにより、
前記一方の電柱の上部だけで前記押送線を前記他方の電柱側に挿通させることを特徴とするケーブル敷設工法。
【請求項３】
前記他方の電柱側まで挿通された前記誘導部材の先端側に前記ケーブルを係止し、
前記押送線を巻き戻すことで前記電柱間にケーブルを張り渡すことを特徴とする請求項１または請求項２に記載のケーブル敷設工法。
【発明の詳細な説明】
【０００１】
【発明の属する技術分野】
本発明は、電柱間に張り渡された支持線に螺旋状ケーブル支持具を吊設して電柱間に螺旋状の支持空間を形成させ、この支持空間を挿通させた押送線を利用して電柱間にケーブルを張り渡すケーブル敷設工法に関する。
【０００２】
【従来の技術】
近年、電柱間にケーブルを張り渡すケーブル敷設に関して、電柱間に張り渡された支持線（メッセンジャーワイヤーとも称される）に宙づりになってハンガー掛けを行う、いわゆる宙づり作業の作業安全性を改善する手法のひとつとして、支持線に螺旋状のケーブル支持具を吊設させこの螺旋状ケーブル支持具を利用して電柱間にケーブルを張り渡すケーブル敷設工法が考案されている。
【０００３】
例えば、特開平２００２−１３５９２７号公報には、螺旋状ケーブル支持具および押送線を利用してケーブルの敷設を行う際に用いる牽引ロープ挿通用先導具について開示されており、このなかに、電柱間に張り渡された支持線に螺旋状ケーブル支持具を吊設して電柱間に螺旋状の支持空間を形成させ、先端に先導具が取り付けられた押送線を一方の電柱側から支持空間内に送り出して他方の電柱側に挿通させ、挿通された押送線の先端から先導具を取り外して牽引ロープを接続し押送線を原位置に引き戻すことで支持空間内に牽引ロープを張り渡し、この牽引ロープの末端にケーブルを接続してウィンチ等で巻き上げることにより電柱間にケーブルを敷設するケーブル敷設工法が記載されている。
【０００４】
【発明が解決しようとする課題】
しかしながら、従来のケーブル敷設工法では、押送線（リードワイヤーないし通線ロッドとも称される）が巻き取られたリールが地上に設置されており、地上でリールが転倒しないように監視しつつ作業の進行に合わせてリールから押送線を引き出す作業者と、電柱上部に昇柱して押送線を螺旋状の支持空間内に押圧して送り出す作業者とが共同して押送線の挿通作業を行っていたため、作業工数がかかるという問題があった。
【０００５】
また、上記ケーブル敷設工法では、先導具が押送線を挿通させるための先導部材としてのみ用いられ、押送線を他方の電柱まで挿通させた後に先導具を取り外し、かわりに牽引ロープを接続して押送線を巻き戻し、さらに牽引ロープにケーブルを接続して巻き上げるなど多数の工程からなっていた。このため作業が繁雑なうえ、牽引ロープとケーブルとの接続部が螺旋状支持部材に引っかかったり螺旋状に回動して支持線に絡み込むなどの不具合もあり、さらに複数のケーブルを敷設する場合に他方の電柱上で取り外した先導具を再び押送線のリールがある一方の電柱側に搬送して上記工程を繰り返し行わなければならないなど、作業効率が低いという問題を有していた。
【０００６】
本発明は上記のような問題に鑑みて成されたものであり、少数の作業者でもケーブルの敷設作業を行うことができ、かつケーブルが支持線に絡み込むなどの不具合や繰り返し作業を解消して作業効率が高いケーブルの敷設工法を提供することを目的とする。
【０００７】
【課題を解決するための手段】
上記目的を達成するため、本発明は、電柱間に張り渡された支持線に螺旋状ケーブル支持具を吊設して電柱間に螺旋状の支持空間を形成させ、先端に誘導部材（例えば実施形態における誘導具２０）が取り付けられた押送線を一方の電柱側から支持空間内に送り出して他方の電柱側に挿通させ、挿通された押送線を利用して電柱間にケーブルを張り渡すケーブル敷設工法にあって、押送線が巻き取られたリール（例えば実施形態における押送線リール１０）を一方の電柱の上部に取り付けて、リールから押送線を引き出しながら当該引き出された押送線を支持空間内に送り出すことにより、一方の電柱の上部だけで押送線を他方の電柱側に挿通させるようにケーブル敷設工法を構成する。
【０００８】
上記のようなケーブル敷設工法によれば、押送線が巻き取られたリールを一方の電柱の上部に取り付けて、リールから押送線を引き出しながら押送線を支持空間内に送り出すことにより、この一方の電柱に昇柱した１人の作業者が当該電柱の上部だけで押送線の挿通作業を行うことができる。
【０００９】
また、他の本発明は、電柱間に張り渡された支持線に螺旋状ケーブル支持具を吊設して電柱間に螺旋状の支持空間を形成させ、先端に誘導部材（例えば実施形態における誘導具２０）が取り付けられた押送線を一方の電柱側から支持空間内に送り出して他方の電柱側に挿通させ、挿通された押送線を利用して電柱間にケーブルを張り渡すケーブル敷設工法にあって、作業者が搭乗する作業台を昇降移動させる高所作業装置（例えば実施形態における高所作業車５０）における作業台に押送線が巻き取られたリール（例えば実施形態における押送線リール１０）を配設するとともに、この作業台を上記一方の電柱の上部に位置させて、リールから押送線を引き出しながら当該引き出された押送線を支持空間内に送り出すことにより、一方の電柱の上部だけで押送線を他方の電柱側に挿通させるようにケーブル敷設工法を構成する。
【００１０】
上記ケーブル敷設工法によれば、押送線が巻き取られたリールを高所作業装置の作業台に配設するとともに作業台を電柱上部に位置させて、リールから押送線を引き出しながら押送線を支持空間内に送り出すことにより、作業台に搭乗した１人の作業者が電柱の上部だけで、かつ安定した作業姿勢で押送線の挿通作業を行うことができる。
【００１１】
さらに、他方の電柱側まで挿通された誘導部材の先端側にケーブルを係止して、押送線を巻き戻すことで電柱間にケーブルを張り渡すようにケーブル敷設工法を構成する。すなわち、本発明における誘導部材は単に押送線を挿通させる際の先導部材としてのみならず、ケーブルを張り込む際の案内部材としても機能する。これにより、先導具の着脱や搬送、牽引ロープへの繋ぎ替えなどの作業工数を削減して作業工程を簡明化するとともに、ケーブルが支持線に絡み込むなどの不具合を解消して作業効率が高いケーブル敷設工法を提供できる。
【００１２】
なお、本明細書にいう「ケーブル」には、いわゆる電力ケーブル等の電力線、通信ケーブルや光ケーブル等の通信線、光と電気の複合ケーブルなどを含み、また「支持線」とは、他線を支持することを目的とするいわゆるメッセンジャーワイヤーのみならず自線を支持する自己支持型ケーブルの支持線を含む概念である。
【００１３】
【発明の実施の形態】
以下、本発明の好ましい実施形態について、図１〜図７の各図を適宜参照しながら説明する。ここで、図１および図２は第１の本発明に係るケーブル敷設工法を略示する側面図、図３は本ケーブル敷設工法に好適な押送線リール１０の構成およびその取り付け状況を例示する斜視図、図４は本工法に好適な誘導具２０を例示する斜視図、図５は図４中の矢印Ｖ−Ｖ方向に見た誘導具２０の断面図、図６は誘導具２０において後述するガイドプレート２２，２３の交差角を変更させた状態で図４中の矢印ＶＩ方向に見た誘導具２０の正面図、図７は図１中の矢印Ｖ−Ｖ方向に見た通線状況の説明図である。
【００１４】
まず、第１実施形態のケーブル敷設工法を説明するに先立ち、本工法を行う際に好適な機材の概要から説明する。図３に示す押送線リール１０は押送線１５を収容するとともに収容した押送線をねじれや絡みなく滑らかに送り出しおよび巻き取る機材であり、ワイヤーフレーム構成で一側縁が開放された外郭円輪のかご型に形成されたリールフレーム１１、リールフレーム１１を支軸１３まわりに回転可能に支持するリールブラケット１２、支軸１３の他端側にリールフレーム１１およびリールブラケット１２に対して相対回転可能に取り付けられ先端に押送線１５を導くガイドリング１４が形成された押送線ガイド、リールブラケット１２を電柱に固定する際に使用する電柱アタッチメント１８等から構成される。なお、リールフレーム１１は、このリールフレームが過度に回転して過剰な押送線がリール外に排出されたり、リールフレーム１１内で支軸１３に絡まったりすることを防止するため、一定のフリクションを有して支軸１３に回転可能に支持されている。
【００１５】
一方、このリールフレーム１１に収容される押送線１５は、可撓性を有する鋼線にポリエチレン樹脂等の低摩擦係数の樹脂を被覆してなる腰のある線材であり、リールフレーム１１に巻き戻したときにリールフレーム１１の内周に沿って弾性変形して収容される一方、リールフレーム１１から引き出したときに弾性力で直線状に自己復帰し、押送線１５の基端側を線材の延びる方向に押圧して送り出すことで押送線１５の先端側を螺旋状ケーブル支持具の支持空間に沿って（多少の蛇行に対してはこれに追従しながら）押し送り可能に形成されている。押送線１５の先端部には図示省略するコネクタが接合されており、後述する誘導具２０の接続口２５と嵌脱自在に構成されている。押送線１５は一般に直径５〜８ｍｍ程度の線径を有し、１００ｍ程度の長さに設定されてリールフレーム１１内に収容セットされている。
【００１６】
誘導具２０は、図４に全体斜視図を示し、図５および図６に図４中のＶ−Ｖ断面図および交差角を変更設定した状態のＶＩ方向矢視図（正面図）を示すように、前後に延びるセンターパイプ２１、センターパイプ２１の前端側および後端側のそれぞれにＸ字状に交差して枢支されセンターパイプ２１の軸まわりに交差角を変更可能に支持された第１ガイドプレート２２および第２ガイドプレート２３、前後の第１ガイドプレート２２，２２間、前後の第２ガイドプレート２３，２３間を結んでセンターパイプ２１と平行に延び各ガイドプレート側端にピン接合されたガイドロッド２４、センターパイプ２１の後端に形成され押送線のコネクタと係脱自在に嵌合接続する接続口２５、センターパイプ２１の前端に着脱可能に取り付けられた先細状の先端金具２７などから構成される。
【００１７】
第１および第２ガイドプレート２２，２３は、その前方または後方となる縁部が側面視において斜面状に形成されており、誘導具２０を螺旋状ケーブル支持具の支持空間内で前進または後退させたときに、斜面状の縁部が螺旋状ケーブル支持具や既設のケーブル等に当接した場合であっても、押送線からの押圧力または引っ張り力により自己誘導して回避し、障害回避性や進行性が高い構成になっている。また先端金具２７は敷設しようとするケーブルに応じて適宜な接続形態の金具を選択して着脱可能になっており、例えばケーブル先端に取り付けたフック状のケーブルグリップを係止して接続したり、あるいはケーブルの先端部を直接結束して接続できるリング（不図示）が取り付けられた先端金具が用いられる。
【００１８】
誘導具２０は、第１および第２ガイドプレート２２，２３をＸ字状に係合させて中心にセンターパイプ２１を挿通させ、各プレート外側端のロッド係合部にガイドロッド２４をスプリングピン等で接合させて前後のガイドプレートをそれぞれ連結させ、両プレートを所望の交差角に設定してナット２６を締め込むことで図４に示すような、いわば紡錘状の形態に組み立てられる。ガイドロッド２４の長さは螺旋状ケーブル支持具２の螺旋の概ね３〜５ピッチ程度の長さに設定されており、螺旋状ケーブル支持具のピッチ間から支持空間の外方に出るようなことなく、ガイドロッド２４の外周で螺旋状ケーブル支持具２に支持されて支持空間内を進行可能になっている。誘導具２０を構成する各部材２１〜２４は、アルミニューム合金製の中空パイプやロッド、鋳物などを主体として形成されており、軽量かつ高剛性に構成されている。
【００１９】
さて、以上概説した各機材１０，２０を用いて電柱Ｄ１から電柱Ｄ２…Ｄｎ間にケーブル４５を張り渡す場合の手順について、以下図１、図２および図７を参照しつつ説明する。なお、電柱Ｄ１〜Ｄｎを含む区間には既に支持線１が張り渡され、各電柱間には螺旋状ケーブル支持具２が支持線１に吊設され適宜な間隔をもって支持線１に固定されている。
【００２０】
作業者Ｍ１，Ｍ２は、まず敷設しようとするケーブル４５が巻き取られたケーブルドラム４０を共同して電柱Ｄｎの基部に設置するとともに、作業者Ｍ２が昇柱して電柱Ｄｎの上部に作業用の仮足場５を取り付け、ケーブル４５を案内する金車（滑車）４７を電柱上部に取り付けておく。また作業者Ｍ２は、ケーブル４５の先端に誘導具２０に接続するケーブルグリップを連結しておく。
【００２１】
作業者Ｍ１，Ｍ２は電柱Ｄ１に移動し、作業者Ｍ１が電柱Ｄ１に昇柱して作業用の仮足場５を電柱Ｄ１の上部に設置するとともに、地上の作業者Ｍ２と共同して押送線リール１０を電柱上に吊り上げ、図３に示したように電柱アタッチメント１８を利用して作業位置近傍の電柱Ｄ１上部に取り付ける。また、誘導具２０を吊り上げて先端金具２７側から螺旋状ケーブル支持具２の支持空間内に挿入し、押送線リール１０から押送線１５を引き出して先端のコネクタを誘導具２０後端の接続口２５に接続する。
【００２２】
そして、作業者Ｍ１は、押送線１５を把持して電柱Ｄ２方向に送り出す。ここで押送線リール１０は作業者Ｍ１の直近の電柱上部にあり、作業者Ｍ１により送り出された長さに相当する押送線１５が押送線リール１０から過不足なく引き出される。押送線１５はリールフレーム１１から引き出されると自己の弾性力で直線状に復帰するため、押送線１５の基端側を線材の延びる電柱Ｄ２の方向に押圧して送り出すことにより、押送線１５の先端側に接続された誘導具２０を押し送りすることができる。
【００２３】
誘導具２０が押送線１５に押し送りされると、誘導具２０は図７に示すように支持線１に吊設された螺旋状ケーブル支持具２内の支持空間Ｓを電柱Ｄ２に向けて滑らかに移動する。なお、図７では螺旋状ケーブル支持具２内に既設のケーブルがない場合を図示しているが、例えば多数のケーブルが既設されて支持空間Ｓが狭窄しているときや、螺旋状ケーブル支持具２の内径が小さいときなどには、図６に示したように第１ガイドプレート２２と第２ガイドプレート２３との交差角を調整して誘導具２０の全高を低くすることで、誘導具２０を挿通させることができる。
【００２４】
さて、こうして作業者Ｍ１が誘導具２０を電柱Ｄ２に向けて押し送りしている間に作業者Ｍ２は電柱Ｄ２に移動して昇柱し、螺旋状ケーブル支持具２の出口位置で待機する。そして作業者Ｍ１が押し送りする誘導具２０が電柱Ｄ２に到達したら、誘導具２０を次の電柱側（例えば図示省略する電柱Ｄ３側）の螺旋状ケーブル支持具２の支持空間内に先端金具２７側から挿入する。作業者Ｍ２によって誘導具２０が次の螺旋状ケーブル支持具２の支持空間に配設されると、作業者Ｍ１は再び押送線１５を押圧して支持空間内に送り込み誘導具２０をさらに次の電柱に向けて移動させる。
【００２５】
以降、作業者Ｍ１およびＭ２は互いに連携を採りながら上記作業を繰り返し、誘導具２０を目的とする電柱Ｄｎまで移動させる。なお、電柱Ｄ１〜Ｄｎ間の距離が長い場合や、作業者Ｍ１の押送線１５の押し込み力が弱い場合、支持空間を移動する誘導具２０に対する抵抗力が大きい場合などには、作業者Ｍ２が適宜中間の電柱上（例えば電柱Ｄ３上）で押送線１５の押し送りを補助して作業を進めてもよい。
【００２６】
誘導具２０が目的とする電柱Ｄｎまで到達したら、作業者Ｍ２が電柱Ｄｎに昇柱してケーブル４５を吊り上げ、金車４７を介してケーブル４５を案内し、先端のケーブルグリップを誘導具２０の先端金具２７に接続させる。そして、作業者Ｍ１は押送線１５の引き戻しを行い、作業者Ｍ２はケーブル４５の送り込み作業を行う。引き戻された押送線１５は作業者Ｍ１の直近に位置する押送線リール１０に直ちに巻き取られリールフレーム１１内に収容される。
【００２７】
作業者Ｍ１は、ケーブル４５が電柱Ｄ１まで到達したら先端金具２７からケーブル４５を取り外して余長をとり、端末処理、結線等の作業を行う。また作業者Ｍ２はケーブル４５が電柱Ｄ１に到達したことを確認のうえ電柱Ｄｎ側の余長をとり、同様に端末処理、結線等の作業を行う。そして、作業者Ｍ１は押送線リール１０や誘導具２０、仮足場５等を撤去して吊り下ろし、また作業者Ｍ２は金車４７や仮足場５等を撤去して吊り下ろし、それぞれ電柱Ｄ１，Ｄｎから降柱して作業を終える。
【００２８】
従って、以上のようなケーブルの敷設工法によれば、作業者Ｍ１が自ら押送線１５を引き出し・巻き戻しながら誘導具２０を押し送り・引き戻しすることができるため、作業の進行状況を監視しながら押送線リール１０から押送線１５を引き出し、あるいは巻き戻しを行う専用の作業者を地上に配置させる必要がない。従って作業工数を削減して少ない作業者数でケーブル敷設を行うことができる。また、目的の電柱側Ｄｎまで挿通された誘導具２０の先端側にケーブル４５を係止して押送線１５を引き戻す一往復の工程だけでケーブル４５を敷設することができるため、作業工数を削減して作業工程を簡明化できるとともに、ケーブル４５が誘導具２０に誘導されて引き戻されるため、ケーブル４５が螺旋運動して支持線１に絡み込むなどの不具合を生じさせることがない。
【００２９】
次に、図８に、図１に対応して第２の本発明に係るケーブル敷設工法を略示しており、本図を参照して第２の本発明に係るケーブル敷設工法について概要説明する。本発明は押送線リール１０を高所作業車５０の作業台５５に取り付け、作業台５５を電柱Ｄ１の作業位置に移動させて既述したと同様の工程でケーブル敷設作業を行うものである。従って、使用する機材や施工手順等は略同様であるため、以下では同一部材に同一番号を付して重複説明を省略する。
【００３０】
高所作業車５０は車体前方に運転キャビン５１を有して走行移動自在な車体５２上に、車体に対して旋回動可能に旋回台５３が取り付けられ、旋回台５３の上端部に起伏動可能にブーム５４が枢結されている。ブーム５４は複数段のブームが入れ子式に組み立てられて構成され、旋回台５３に枢結された基端ブームに対して先端ブームを伸縮させることができるようになっている。先端ブームの先端にはレベリング機構によりブーム５４の起伏角度に拘わらず常時垂直が維持される垂直ポストを介して作業台５５が水平旋回（首振りという）可能に取り付けられており、作業者が搭乗して作業を行えるようになっている。
【００３１】
作業台５５には、旋回台５３の旋回作動、ブーム５４の起伏および伸縮作動、作業台５５の首振り作動等の作動操作を行うブーム操作装置が設けられており、作業台５５に搭乗した作業者が自らブーム操作装置を操作して旋回台５３やブーム５４等を作動させ、作業台５５を所望の高所に移動させることができるようになっている。車体５２の前後左右には車体を持ち上げ支持するジャッキ５７が設けられており、作業台５５を高所に移動させたときに車体５２に作用する転倒モーメントに抗して車体５２を安定支持可能に構成されている。
【００３２】
このように構成される高所作業車５０の作業台５５に押送線リール１０′が取り付けられる。押送線リール１０′は既述した押送線リール１０と同様の構成を有しており、図３に示した電柱アタッチメント１８に替えて作業台５５に着脱可能な作業台アタッチメント（不図示）が取り付けられ、この作業台アタッチメントを介して作業台５５に取り付けられる。
【００３３】
このため、作業者Ｍ１は、押送線リール１０を作業台５５に取り付け、誘導具２０を作業台に積載して作業台５５を電柱Ｄ１上部の作業位置に移動させ、誘導具２０を螺旋状ケーブル支持具２の支持空間Ｓ内に挿入して押送線１５を送り出すことで、前述したと同様に誘導具２０を電柱Ｄｎに移動させることができる。また本工法によれば、既述した工程における仮足場５の設置や押送線リール１０の電柱への吊り上げおよび固定、誘導具２０の吊り上げ等を行う必要がないため作業者Ｍ１が一人で作業可能なうえ適宜作業位置を修正することもでき、さらに作業台５５上で安定した姿勢で安全にケーブルの敷設を行うことができる。
【００３４】
【発明の効果】
以上説明したように、本発明は、支持線に吊設された螺旋状ケーブル支持具の支持空間に、先端に誘導部材が取り付けられた押送線を一方の電柱側から送り出して他方の電柱側に挿通させ、挿通された押送線を利用して電柱間にケーブルを張り渡すケーブル敷設工法において、押送線が巻き取られたリールを一方の電柱の上部に取り付け、リールから押送線を引き出しながら支持空間内に送り出すことで、一方の電柱の上部だけで押送線を他方の電柱側に挿通させるようにケーブル敷設工法を構成する。このため、一方の電柱に昇柱した１人の作業者が当該電柱の上部だけで押送線の挿通作業を行うことができ、作業工数を削減して少数の作業者でもケーブル敷設を行えるケーブル敷設工法を提供できる。
【００３５】
また、他の本発明は、支持線に吊設された螺旋状ケーブル支持具の支持空間に、先端に誘導部材が取り付けられた押送線を一方の電柱側から送り出して他方の電柱側に挿通させ、挿通された押送線を利用して電柱間にケーブルを張り渡すケーブル敷設工法において、高所作業装置の作業台に押送線が巻き取られたリールを配設して作業台を上記一方の電柱の上部に位置させ、リールから押送線を引き出しながら当該引き出された押送線を支持空間内に送り出すことにより、一方の電柱の上部だけで押送線を他方の電柱側に挿通させるようにケーブル敷設工法を構成する。このため、作業台に搭乗した１人の作業者が作業台を電柱の上部に移動させるだけで、かつ安定した作業姿勢で押送線の挿通作業を行うことができる。従って、作業工数を削減して少数の作業者でも安全にケーブル敷設を行えるケーブル敷設工法を提供できる。
【００３６】
また、他方の電柱側まで挿通された誘導部材の先端側にケーブルを係止して、押送線を巻き戻すことで電柱間にケーブルを張り渡すようにケーブル敷設工法を構成する。このため、誘導部材の着脱や搬送、牽引ロープへの繋ぎ替えなどの作業工数を削減して作業工程を簡明化することができるとともに、ケーブルが誘導部材に誘導されて引き戻されるため、ケーブルが螺旋運動して支持線に絡み込むなどの不具合を解消して作業効率が高いケーブル敷設工法を提供できる。
【図面の簡単な説明】
【図１】第１の本発明に係るケーブル敷設工法を略示する側面図である。
【図２】図１に続いて本発明に係るケーブル敷設工法を略示する側面図である。
【図３】本ケーブル敷設工法に好適な押送線リールの構成およびその取り付け状況を例示する斜視図である。
【図４】本ケーブル敷設工法に好適な誘導具を例示する斜視図である。
【図５】図４中の矢印Ｖ−Ｖ方向に見た誘導具の断面図である。
【図６】ガイドプレートの交差角を変更させた状態で図４中の矢印ＶＩ方向に見た誘導具の正面図である。
【図７】図１中の矢印Ｖ−Ｖ方向に見た通線状況の説明図である。
【図８】第２の本発明に係るケーブル敷設工法を略示する側面図である。
【符号の説明】
Ｄ１〜Ｄｎ　電柱
Ｓ　支持空間
１　支持線
２　螺旋状ケーブル支持具
１０，１０′　押送線リール
１５　押送線
２０　誘導具（誘導部材）
４５　ケーブル
５０　高所作業車（高所作業装置）
５５　作業台
【図１】
2004048826.tif 000003
【図２】
2004048826.tif 000004
【図３】
2004048826.tif 000005
【図４】
2004048826.tif 000006
【図５】
2004048826.tif 000007
【図６】
2004048826.tif 000008
【図７】
2004048826.tif 000009
【図８】
2004048826.tif 000010